(57)【要約】【課題】椅子同士を上下に積み重ねるいわゆるスタッキングが可能になるとともに、脚部のガタツキを防止することができる。【解決手段】上下方向に沿って延びる２本の脚柱１６、１８、３０、３２を横方向に沿って延びる接続材２４、４０で連結して一体にした２つの脚フレーム１２、１４を、各接続材２４、４０が座板５０の下面に位置するように配置して座板５０に着脱可能にそれぞれ固定した組立椅子１０であって、座板５０よりも上方に離れた位置で脚フレーム１２、１４同士を連結する着脱可能な連結材５６、６０、７０を有する構成とした。【選択図】      図１
2005073987.tif 000002
【特許請求の範囲】
【請求項１】
上下方向に沿って延びる２本の脚柱を横方向に沿って延びる接続材で連結して一体にした２つの脚フレームを、前記接続材が座板の下面に位置するように配置して前記座板に着脱可能にそれぞれ固定した組立椅子であって、
前記座板よりも上方に離れた位置で前記脚フレーム同士を連結する着脱可能な連結材を有することを特徴とする組立椅子。
【請求項２】
前記連結材は、背もたれ又は肘掛けの少なくとも一方であることを特徴とする請求項１に記載の組立椅子。
【請求項３】
２つの前記脚フレームを床面に対して垂直に立てた状態で各接続材の略中央部近傍で交差させ、その位置がずれないように固定手段により固定したことを特徴する請求項１又は２に記載の組立椅子。
【発明の詳細な説明】
【技術分野】
【０００１】
本発明は、家庭等において容易に組み立てられる組立椅子に関する。
【背景技術】
【０００２】
図６に示すように、例えば、従来の椅子１００は、円板状の座板１０２と、座板１０２に固定ネジ（図示省略）等により取り付けられた脚部１０４と、を有している。この脚部１０４は、一対のコ字状の脚フレームで構成されており、各脚フレームの一部が重ね合わされて予め脚フレームに形成された貫通孔（図示省略）を連通させ、この貫通孔に固定ネジを挿通させて座板１０２に対して固定させている（下記特許文献１）。
【０００３】
しかしながら、上記椅子１００では、椅子１００の取り扱いによっては脚部１０４がガタツクことがあり、非常に不便であった。
【０００４】
上記問題を解決するため、図７及び図８に示すような椅子２００が知られている。この椅子２００は、円板状の座板２０２と、この座板２０２にネジ２０４等により取り付けられた一対のコ字状の脚フレーム２０６、２０６と、各脚フレーム２０６、２０６同士を接続する支持部材２０８と、で構成されている（下記特許文献２）。支持部材２０８により各脚フレーム２０６、２０６同士を接続することにより、脚フレーム２０６、２０６を拘束することができ、脚フレーム２０６、２０６のガタツキを効果的に防止することができる。
【特許文献１】実開昭６０−９７０４５号公報
【特許文献２】実開昭５２−４８００７号公報
【発明の開示】
【発明が解決しようとする課題】
【０００５】
しかしながら、上記特許文献２で示された椅子では、椅子同士を重ねて積み上げよう（スタッキング）としても、支持部材が邪魔になり、スタッキングできない不具合があった。
【０００６】
そこで、本発明は、上記事情を考慮し、脚のガタツキを防止することができるとともに、いわゆるスタッキング可能な組立椅子を提供することを目的とする。
【課題を解決するための手段】
【０００７】
請求項１に記載の発明は、上下方向に沿って延びる２本の脚柱を横方向に沿って延びる接続材で連結して一体にした２つの脚フレームを、前記接続材が座板の下面に位置するように配置して前記座板に着脱可能にそれぞれ固定した組立椅子であって、前記座板よりも上方に離れた位置で前記脚フレーム同士を連結する着脱可能な連結材を有することを特徴とする。
【０００８】
請求項１に記載の発明によれば、組立椅子は、上下方向に沿って延びる２本の脚柱を横方向に沿って延びる接続材で連結して一体にした２つの脚フレームを、接続材が座板の下面に位置するように配置して座板に着脱可能にそれぞれ固定したものであり、座板よりも上方に離れた位置で着脱可能な連結材により脚フレーム同士を連結するように構成したので、脚フレームがそれぞれ拘束され、脚フレームがガタツク（倒れる）ことを防止できる。また、座板の下方には、連結材が設けられていないため、椅子同士をスタッキングすることができる。
一方、本発明の組立椅子は、２つの脚フレームが座板に対して着脱可能に固定されており、また、連結材も着脱可能に設けられているため、組立椅子を、座板と、２つの脚フレームと、連結材に分解することができる。分解すると、各部品はかさばらない小さい形状となるため、組立椅子を分解した各構成部品をコンパクトに梱包することができ、運搬等が容易になる。さらに、組立椅子の梱包された各構成部品を所定の場所に運搬し、その場所で２つの脚フレームを座板に固定し、さらに、２つの脚フレーム同士を連結材により連結させることにより、脚のガタツキがなく、かつスタッキングの可能な椅子を容易に組み立てることができる。
【０００９】
請求項２に記載の発明は、請求項１に記載の組立椅子において、前記連結材は、背もたれ又は肘掛けの少なくとも一方であることを特徴とする。
【００１０】
請求項２に記載の発明によれば、連結材を背もたれ又は肘掛けの少なくとも一方とすることにより、椅子に必要な構成部材（背もたれ又は肘掛け）が連結材としての機能も兼ねることになるため、連結材として別部材を新たに設ける必要がなく、組立工数及び製造コストを低減することができる。また、連結材として別部材を設ける必要がないため、連結材がスタッキングの邪魔になることがない。
【００１１】
請求項３に記載の発明は、請求項１又は２に記載の組立椅子において、前記２つの脚フレームを床面に対して垂直に立てた状態で各接続材の略中央部近傍で交差させ、その位置がずれないように固定手段により固定したことを特徴する。
【００１２】
請求項３に記載の発明によれば、２つの脚フレームを床面に対して垂直に立てた状態で各接続材の略中央部近傍で交差させ、その位置がずれないように固定手段により固定することにより、組立椅子を組み立てるときに、２つの脚フレームを土台とし用いることができる。これにより、２つの脚フレームの上部に座板を載置させて着脱可能に固定し、さらに脚フレーム同士のガタツキを防止するために背もたれ及び肘掛けをそれぞれ取付固定することが可能となり、組立椅子の組立作業が容易になる。
【発明の効果】
【００１３】
請求項１に記載の発明によれば、座板よりも上方に離れた位置で着脱可能な連結材により脚フレーム同士を連結するように構成したので、脚フレームがそれぞれ拘束され、脚フレームがガタツク（倒れる）ことを防止できる。また、座板の下方には、連結材が設けられていないため、椅子同士をスタッキングすることができる。
さらに、２つの脚フレームが座板に対して着脱可能に固定されており、また、連結材も着脱可能に設けられているため、組立椅子を、座板と、２つの脚フレームと、連結材に分解することができる。これにより、組立椅子を分解した各構成部品をコンパクトに梱包することができ、運搬等が容易になる。さらに、組立椅子の梱包された各構成部品を所定の場所に運搬し、その場所で２つの脚フレームを座板に固定し、さらに、２つの脚フレーム同士を連結材により連結させることにより、脚のガタツキがなく、かつスタッキングの可能な椅子を容易に組み立てることができる。
【００１４】
請求項２に記載の発明によれば、連結材として別部材を新たに設ける必要がなく、組立工数及び製造コストを低減することができる。また、連結材として別部材を設ける必要がないため、連結材がスタッキングの邪魔になることがない。
【００１５】
請求項３に記載の発明によれば、２つの脚フレームの上部に座板を載置させて着脱可能に固定し、さらに脚フレーム同士のガタツキを防止するために背もたれ及び肘掛けをそれぞれ取付固定することが可能となり、組立椅子の組立作業が容易になる。
【発明を実施するための最良の形態】
【００１６】
次に、本発明の実施形態の組立椅子について、図面を参照して説明する。
図１及び図２に示すように、本実施形態の組立椅子１０は、第１の脚フレーム１２と第２の脚フレーム１４とを備えている。第１の脚フレーム１２は、軸が上下方向に延びる第１の脚柱（脚柱）１６を有している。この第１の脚柱１６は、円筒状に形成されている。また、第１の脚フレーム１２は、軸が上下方向に延びる第２の脚柱（脚柱）１８を有している。この第２の脚柱１８は、円筒状に形成されており、第１の脚柱１６よりも長くなるように形成されている。また、第２の脚柱１８の上部には、後述する背板（背もたれ）を取り付けるための第１の取付片２０が形成されており、この第１の取付片２０には２つの開孔２２、２２が形成されている。
【００１７】
また、第１の脚柱１６の上部と第２の脚柱１８の略中央部とは、第１の脚柱１６（又は第２の脚柱１８）の軸方向に対して垂直方向に延びる円筒状の第１の接続材（接続材）２４により接続されている。ここで、第１の脚柱１６と第２の脚柱１８と第１の接続材２４とを一体成形されていてもよく、第１の脚柱１６と第２の脚柱１８との間に第１の接続材２４を組み付けてもよい。また、第１の接続材２４の略中央には貫通孔２６が形成されている。さらに、第１の接続材２４の両端部側には、ネジ孔２８、２８がそれぞれ形成されている。
【００１８】
一方、第２の脚フレーム１４は、軸が上下方向に延びる第３の脚柱（脚柱）３０を有している。この第３の脚柱３０は、円筒状に形成されている。また、第２の脚フレーム１４は、軸が上下方向に延びる第４の脚柱（脚柱）３２を有している。この第４の脚柱３２は、円筒状に形成されており、第３の脚柱３０よりも長くなるように形成されている。また、第４の脚柱３２の上部には、後述する背板（背もたれ）を取り付けるための第２の取付片３６が形成されており、この第２の取付片３６には２つの開孔３８、３８が形成されている。
【００１９】
また、第３の脚柱３０の上部と第４の脚柱３２の略中央部とは、第３の脚柱３０（又は第４の脚柱３２）の軸方向に対して垂直方向に延びる円筒状の第２の接続材（接続材）４０により接続されている。ここで、第３の脚柱３０と第４の脚柱３２と第２の接続材４０とを一体成形されていてもよく、第３の脚柱３０と第４の脚柱３２との間に第２の接続材４０を組み付けてもよい。また、この第２の接続材４０の略中央には凹部４２が形成されており、この凹部４２には貫通孔（図示省略）が形成されている。さらに、第２の接続材４０の両端部側には、ネジ孔４４、４４がそれぞれ形成されている。
【００２０】
また、組立椅子１０は、第２の接続材４０の凹部４２の上面に第１の接続材２４が載置しており、第１の接続材２４に形成された貫通孔２６と第２の接続材４０に形成された貫通孔（図示省略）とが連通するように構成されている。このように、第２の接続材４０に形成された凹部４２の上面に第１の接続材２４を載置させることにより、第１の接続材２４と第２の接続材４０とが略同一の高さとなるように構成されている。また、連通した貫通孔２６には下方（第２の接続材４０側）からピン（固定手段）４６が挿通して溶接されており、上方に配置されたスナップリング（固定手段）４８と係合することにより、第１の脚フレーム１２と第２の脚フレーム１４とが相互に位置ずれしないように固定されている。このように、固定された状態では、第１の接続材２４と第２の接続材４０とは、平面視にて十字状に交差している。
【００２１】
さらに、図３に示すように、第１の接続材２４と第２の接続材４０の上面には、座板５０が載置されている。この座板５０は平面視にて略正方形状に形成されており、座板５０の略中央には円孔５２が形成されている。また、座板５０には、前記各ネジ孔２８、２８、４４、４４と連通するようにビス孔（図示省略）が形成されている。また、座板５０が第１の接続材２４の上面と第２接続材４０の上面に載置された状態で、上方からビス５４がビス孔（図示省略）に挿通されており、このビス５４がネジ孔２８、２８、４４、４４とそれぞれ螺合することにより、座板５０が第１の脚フレーム１２及び第２の脚フレーム１４に対して固定されている。
【００２２】
また、図４に示すように、第１の取付片２０と第２の取付片３６には、背板５６が取り付けられている。この背板５６は略長方形状に形成されており、両側の側端部近傍には取付孔（図示省略）がそれぞれ形成されており、この取付孔（図示省略）と開孔２２、３８とが連通するように背板５６の裏面を第１の取付片２０及び第２の取付片３６に接触させてボルト５８を取付孔側から取付孔（図示省略）と開孔２２、３８とに挿通させ、開孔側に配置されたナット（図示省略）に螺合させることにより、背板５６が第１の取付片２０及び第２の取付片３６に固定されている。
【００２３】
また、図１及び図５に示すように、第２の脚柱１８の上端部と第３の脚柱３０の上端部には、第１の肘掛け（肘掛け）６０が取り付けられている。この第１の肘掛け６０は、略鉛直方向にそれぞれ延びる第１の鉛直部材６４と第２の鉛直部材６６と、第１の鉛直部材６４と第２の鉛直部材６６とに対して外側に出っ張るように形成された第１の水平部材６２と、で構成されている。また、第１の鉛直部材６４の先端部と第２の鉛直部材６６の先端部には、第２の脚柱１８の上端部と第３の脚柱３０の上端部に挿入される挿入部６８、６８がそれぞれ形成されている。さらに、第２の鉛直部材６６は、第１の鉛直部材６４に対して長くなるように設定されているため、第１の肘掛け６０を第２の脚柱１８の上端部と第３の脚柱３０の上端部に掛け渡したときに第１の水平部材６２が水平となる。
【００２４】
さらに、同様にして、第１の脚柱１６の上端部と第４の脚柱３２の上端部には、第２の肘掛け（肘掛け）７０が取り付けられている。この第２の肘掛け７０は、略鉛直方向にそれぞれ延びる第３の鉛直部材７４と第４の鉛直部材７６と、第３の鉛直部材７４と第４の鉛直部材７６とに対して外側に出っ張るように形成された第２の水平部材７２と、で構成されている。また、第３の鉛直部材７４の先端部と第４の鉛直部材７６の先端部には、第４の脚柱３２の上端部と第１の脚柱１６の上端部に挿入される挿入部７８、７８がそれぞれ形成されている。さらに、第４の鉛直部材７６は、第３の鉛直部材７４に対して長くなるように設定されているため、第２の肘掛け７０を第１の脚柱１６の上端部と第４の脚柱３２の上端部に掛け渡したときに第２の水平部材７２が水平となる。
【００２５】
ここで、本実施形態の組立椅子１０の組立方法について説明する。
【００２６】
図２に示すように、２つの脚フレーム１２、１４を床面に対して垂直に立てた状態で第１の接続材２４と第２の接続材４０とが十字状に交差するように、第２の接続材４０の凹部４２の上面に第１の接続材２４を載置させる。第２の接続材４０の凹部４２の上面に第１の接続材２４を載置させた後、下方からピン４６を貫通孔２６に挿通して溶接し、上方に配置されたスナップリング４８と係合させる。このピン４６とスナップリング４８を係合することにより、第１の接続材２４が第２の接続材４０に対して固定され、この結果、第１の脚フレーム１２が第２の脚フレーム１４に対して固定される。また、ピン４６を下方から貫通孔２６に挿通させることにより、ピン４６の軸方向の長さが貫通孔２６の長さよりも長くなった場合でも、第２の接続材４０側にピン４６の先端部が出っ張ることがないので、組立椅子１０をスタッキングさせた場合にピン４６が邪魔になることがない。
【００２７】
次に、図３に示すように、第１の脚フレーム１２と第２の脚フレーム１４とが固定されれば、第１の接続材２４及び第２の接続材４０の上面に座板５０を載置させる。このとき、座板５０の略中央に形成された円孔５２にピン４６及びスナップリング４８が入るように座板５０が置かれ、上方から各ビス孔に挿通された各ビス５４がネジ孔２８、２８、４４、４４とそれぞれ螺合することにより、座板５０を第１の脚フレーム１２及び第２の脚フレーム１４に対して固定させる。このとき、第１の脚フレーム１２と第２の脚フレーム１４とを先に組み付け、これを土台として用いることにより、座板５０を容易に取り付けることができる。このように、座板５０を第１の脚フレーム１２及び第２の脚フレーム１４に対して固定させることにより、第１の脚フレーム１２及び第２の脚フレーム１４の位置決めが可能となる。
さらに、第１の接続材２４を第２の接続材４０の凹部４２の上面に載置させた状態では、第１の接続材２４と第２の接続材４０との高さが略同一となっている。これにより、第１の接続材２４及び第２の接続材４０に載置させた座板５０を安定維持させることができる。
【００２８】
次に、図３及び図４に示すように、取付孔（図示省略）と開孔２２、３８とが連通するように背板５６の裏面を第１の取付片２０と第２の取付片３６に接触させ、取付孔（図示省略）と開孔２２、３８とにボルト５８を挿通させナット（図示省略）と螺合させることにより、背板５６を第１の脚フレーム１２及び第２の脚フレーム１４に対して取り付ける。このとき、背板５６は、座板５０から上方に離れた位置で、かつ第１の脚フレーム１２を構成する第２の脚柱１８と第２の脚フレーム１４を構成する第４の脚柱３２とに亘って取り付けることにより、第１の脚柱１６、第２の脚柱１８、第３の脚柱３０及び第４の脚柱３２のガタツキを効果的に防止することができる。また、このように背板５６を取り付けることにより、第１の脚フレーム１２及び第２の脚フレーム１４が回転してしまうことも防止することができる。
さらに、背板５６を取り付ける場合も同様に、事前に第１の脚フレーム１２と第２の脚フレーム１４とを組み付けているため、これを土台として用いることができ、背板５６を容易に取り付けることができる。
【００２９】
次に、図５に示すように、第１の脚フレーム１２を構成する第２の脚柱１８の上端部と第２の脚フレーム１４を構成する第３の脚柱３０の上端部に、第１の鉛直部材６４の先端部と第２の鉛直部材６６の先端部に形成された挿入部６８、６８をそれぞれ挿入させることにより、第１の肘掛け（肘掛け）６０を取り付ける。
さらに、同様にして、図１に示すように、第１の脚フレーム１２を構成する第１の脚柱１６の上端部と第２の脚フレーム１４を構成する第４の脚柱３２の上端部に、第４の鉛直部材７６の先端部と第３の鉛直部材７４の先端部に形成された挿入部７８、７８をそれぞれ挿入させることにより、第２の肘掛け（肘掛け）７０を取り付ける。このように、第１の脚フレーム１２と第２の脚フレーム１４とに渡って各肘掛け６０、７０を取り付けることにより、第１の脚柱１６、第２の脚柱１８、第３の脚柱３０及び第４の脚柱３２のガタツキを効果的に防止することができる。また、このように第１の肘掛け６０と第２の肘掛け７０を取り付けることにより、第１の脚フレーム１２及び第２の脚フレーム１４が回転してしまうことも防止することができる。
さらに、第１の肘掛け６０及び第２の肘掛け７０を取り付ける場合も同様に、事前に第１の脚フレーム１２と第２の脚フレーム１４とを組み付けているため、これを土台として用いることができ、第１の肘掛け６０及び第２の肘掛け７０を容易に取り付けることができる。
【００３０】
ここで、図示しないが、第１の脚柱１６と第２の脚柱１８と第３の脚柱３０と第４の脚柱３２のそれぞれ上下方向の長さが同じになるように設定することにより、第１の肘掛け６０の第１の鉛直部材６４の鉛直方向の長さと第２の鉛直部材６６の鉛直方向の長さを同じ長さになるようにすることができる。これにより、第１の肘掛け６０の形状を第１の水平部材６２の水平方向中心を通る線に対して左右対称とすることができ、第１の肘掛け６０を成型する型の型形状を簡素化、単純化することができ、この結果、型投資を少なくすることができる。また、第１の肘掛け６０を左右対称とすることにより、第１の肘掛け６０の搬入性をさらに高めることができる。
なお、第２の肘掛け７０の形状についても同様に、左右対称にすることが可能となり、型投資を少なくすることができる。また、第２の肘掛け７０を左右対称とすることにより、第２の肘掛け７０の搬入性をさらに高めることができる。
【００３１】
以上説明したように、本実施形態の組立椅子１０は、上下方向に沿って延びる２本の脚柱１６、１８、３０、３２を横方向に沿って延びる各接続材２４、４０で連結して一体にした２つの脚フレーム１２、１４を、各接続材２４、４０が座板５０の下面に位置するように配置して座板５０に着脱可能にそれぞれ固定したものであり、座板５０よりも上方に離れた位置で着脱可能な背板５６及び各肘掛け６０、７０により２つの脚フレーム１２、１４同士を連結するように構成したので、２つの脚フレーム１２、１４がそれぞれ拘束され、２つの脚フレーム１２、１４がガタツク（倒れる）ことを防止できる。また、座板５０の下方には、脚同士を連結する連結材が設けられておらず、さらにまた第１の水平部材６２と第２の水平部材７２をそれぞれ外側に出っ張るように設定しこの出っ張りにより空いた内側のスペースに上に積み重ねられる椅子の脚フレーム（図９（Ａ）、（Ｂ）参照）を入れることができるため、椅子同士を上下に積み重ねてスタッキングすることができる。
【００３２】
特に、背板５６及び各肘掛け６０、７０をいわゆる連結材として用いることにより、椅子に必要な構成部材に連結材としての機能も兼ねさせることができるため、連結材として別部材を新たに設ける必要がなく、組立工数及び製造コストを大幅に低減することができる。また、連結材として別部材を設ける必要がないため、椅子同士を上下に積み重ねてスタッキングする際に連結材が邪魔になることがない。
【００３３】
一方、本発明の組立椅子１０は、ビス５４のネジ孔２８、４４への螺合を緩めてビス５４を取り除きくことにより座板５０を容易に取り外すことができ、また、ピン４６とスナップリング４８との係合を解除することにより２つの脚フレーム１２、１４同士の固定を容易に解除することができ、また、ボルト５８とナット（図示省略）との螺合を緩めてボルト５８を引き抜くことにより背板５６を各取付片２０、３６から容易に取り外すことができ、さらに、各肘掛け６０、７０を上方に引っ張ることにより各肘掛け６０、７０を２つの脚フレーム１２、１４から容易に引き抜くことができ、組立椅子１０を容易に分解することができる。これにより、組立椅子１０を分解した各構成部品をコンパクトに梱包することができ、運搬等が容易になる。さらに、組立椅子１０の梱包された各構成部品を所定の場所に運搬し、上記した組立方法により、組立椅子１０を組み立てることにより、脚のガタツキがなく、かつスタッキングの可能な椅子を容易に組み立てることができる。
【００３４】
なお、上記実施形態の組立椅子１０の２つの脚フレーム１２、１４の構成として、下向きにコの字となるような構成を例にとり説明したが、これに限られることはなく、例えば、第１の脚柱１６の下端部と第２の脚柱１８の下端部との間を略直線状の接続材（図示省略）で接続し、かつ第３の脚柱３０の下端部と第４の脚柱３２の下端部との間を略直線状の接続材（図示省略）で接続するようにして、ロの字状に構成してもよい。さらに、第１の接続材２４及び第２の接続材４０のそれぞれの接続位置を適宜調整することにより、各脚フレーム１２、１４をＨ状に構成してもよい。
【００３５】
また、本実施形態の組立椅子１０では、各脚フレーム１２、１４の各接続材２４、４０を平面視にて十字状に交差するように組み付ける構成を例にとり説明したが、これに限られることはなく、例えば、２つの脚フレームの各接続材同士を略並行になるように配置した構成にしてもよい。
【００３６】
さらに、座板５０や背板５６の形状も正方形状や長方形状に限られるものではなく、他の如何なる形状に形成されていてもよい。
【図面の簡単な説明】
【００３７】
【図１】本発明の一実施形態の組立椅子の斜視図である。
【図２】本発明の一実施形態の組立椅子を構成する各脚フレームを組み付けた状態を示した斜視図である。
【図３】図２の組付体に座板を取り付けた状態を示した斜視図である。
【図４】図３の組付体に背板を取り付けた状態を示した斜視図である。
【図５】図４の組付体に肘掛けを取り付ける状態を示した斜視図である。
【図６】従来技術となる椅子の斜視図である。
【図７】従来技術となる椅子の概略構成図である。
【図８】図７の椅子の脚部の斜視図である。
【図９】（Ａ）は本発明の組立椅子が３重にスタッキングした状態の肘掛け部分の斜視図であり、（Ｂ）は本発明の組立椅子が３重にスタッキングした状態の部分的な平面図である。
【符号の説明】
【００３８】
１０  組立椅子
１２  脚フレーム
１４  脚フレーム
１６  第１の脚柱（脚柱）
１８  第２の脚柱（脚柱）
２４  第１の接続材（接続材）
３０  第３の脚柱（脚柱）
３２  第４の脚柱（脚柱）
４０  第２の接続材（接続材）
４６  ピン（固定手段）
４８  スナップリング（固定手段）
５０  座板
５６  背板（背もたれ、連結材）
６０  第１の肘掛け（肘掛け、連結材）
７０  第２の肘掛け（肘掛け、連結材）
【図１】
2005073987.tif 000003
【図２】
2005073987.tif 000004
【図３】
2005073987.tif 000005
【図４】
2005073987.tif 000006
【図５】
2005073987.tif 000007
【図６】
2005073987.tif 000008
【図７】
2005073987.tif 000009
【図８】
2005073987.tif 000010
【図９】
2005073987.tif 000011